(57)【要約】【課題】電気回路のパターンを位置合わせのための目印、または、デザインとして利用することのできる静電吸着ボードを提供する。【解決手段】静電吸着ボードは、基板１と表面シート２と電源３と電気回路４と固定部品５とを備える。電気回路４を設置した基板１に表面シート２を貼り合わせる。表面シート２を半透明にすることにより、電気回路４が透けて見える。基板１に電源３を設置し、電源３と電気回路４を接続する。表面シート２に静電気力が発生することにより、貼付物を吸着することができる。更に、静電吸着ボードを壁面等に固定できるよう、固定部品５を基板に備える。【選択図】図１
0003207975.tif 000002
【実用新案登録請求の範囲】
【請求項１】
板状の基板上に、メモ用紙等の平面状の貼付物を貼り付けるための貼付部を備えた静電吸着ボードであって、
上記貼付部は、半透明の素材からなる表面シートで被覆した電気回路を形成された基板と、上記電気回路に印加するための電源部とを備え、上記電気回路による静電気力によって、上記貼付物を上記表面シートの表面に吸着する部分である、
ことを特徴とする静電吸着ボード。
【請求項２】
請求項１に記載の静電吸着ボードにおいて、
上記基板は、静電吸着ボード本体を壁面に固定するための固定部品を有する、
ことを特徴とする静電吸着ボード。
【請求項３】
請求項１または請求項２に記載の静電吸着ボードにおいて、
上記電気回路は、設計された格子状または縞状のパターンを貼付物配列の際に位置合わせのための目印として利用することのできる、
ことを特徴とする静電吸着ボード。
【請求項４】
請求項１または請求項２に記載の静電吸着ボードにおいて、
上記電気回路は、設計されたパターンを装飾用のデザインとして兼用することのできる、
ことを特徴とする静電吸着ボード。
【考案の詳細な説明】
【技術分野】
【０００１】  この考案は、紙などの平面状の貼付物を貼り付けることができる静電吸着ボードに関するものである。
【背景技術】
【０００２】  従来の掲示板は、金属板あるいは木材板などの素材で形成され、貼付物を固定する際、磁石やテープ、画びょう等を用いて固定してきた。
また、従来の静電吸着ボードは、貼付物を貼付部に近接させ、電気回路と貼付物の間に発生する静電気力によって固定してきた。
このような貼付物を固定する方法として、例えば特許文献１及び特許文献２に記載の技術がある。
【先行技術文献】
【特許文献】
【０００３】
【特許文献１】特開２００５−７８０６１号公報
【特許文献２】特開２０００−２３１３５０号公報
【考案の概要】
【考案が解決しようとする課題】
【０００４】  しかし、上記の貼付物固定方法では、次のような問題があった。
まず、上記した従来の掲示板に貼付物を固定する場合、磁石では貼付物に厚みがあると固定できず、テープや画びょうでは、貼付物にダメージを与えていた。
また、上記した従来の掲示板または静電吸着ボードに貼付物を体裁よく固定したい場合は、掲示板または静電吸着ボードの表面に格子状、縞状などの罫線を位置合わせのための目印として印刷したり、テープやインクなどを用いて、使用者自らが工作したりする必要があった。
さらに、上記した従来の掲示板または静電吸着ボードに装飾用のデザインを施したい場合は、掲示板または静電吸着ボードの表面に文字、イラスト、模様や図形などを印刷したり、シールやインクなどを用いて使用者自らが装飾したりする必要があり、何れの場合も生産コストの増加に繋がっていた。【０００５】  この考案は、上述した課題を解決するためになされたもので、ダメージを与えることなく貼付物を固定するとともに、電気回路のパターンを貼付物の位置合わせのための目印として、または、電気回路のパターンを装飾用のデザインとして利用することのできる静電吸着ボードを提供することを目的とする。
【課題を解決するための手段】
【０００６】  上記課題を解決するために、請求項１の考案は、板状の基板上に、メモ用紙等の平面状の貼付物を貼り付けるための貼付部を備えた静電吸着ボードであって、貼付部は、半透明の素材からなる表面シートで被覆した電気回路を形成された基板と、電気回路に所定の電圧を印加するための電源部とを備え、電気回路による静電気力によって、貼付物を表面シートの表面に吸着する部分である構成とした。
かかる構成により、所定の電圧を、表面シートで被覆された電気回路に電源部から印加することができる。かかる電圧印加状態で、メモ用紙等の貼付物を表面シートに近接させると、貼付物と電気回路との間に静電気が発生する。この結果、貼付物が、その静電気力によって表面シートに吸着される。
つまり、この考案の静電吸着ボードによれば、貼付物を、磁石やテープ、画びょう等を用いることなく、貼付部に貼り付けることができる。【０００７】  請求項２の考案は、請求項１に記載の静電吸着ボードにおいて、基板に静電吸着ボードを壁面等に固定するための固定部品を有する構成とした。
かかる構造により、使用者は静電吸着ボードを安全に壁面に固定することができる。【０００８】  請求項３の考案は、請求項１または請求項２に記載の静電吸着ボードにおいて、電気回路を格子状または縞状のパターンを設計することのできる構成とした。
かかる構造により、基板上に形成された工事上または縞状の電気回路が半透明の表面シートを通して見えるため、貼付物を配列する際に、電気回路のパターンを位置合わせのための目印として利用することができる。この結果、貼付物を体裁よく貼り付けることができる。【０００９】  請求項４の考案は、請求項１または請求項２に記載の静電吸着ボードにおいて、電気回路は、設計されたパターンを装飾用のデザインとして兼用できる構成とした。
かかる構造により、基板上に形成された文字、イラスト、模様や図形などの電気回路が半透明の表面シートを通して見えるため、電気回路のパターンを装飾用のデザインとして兼用させることができる。この結果、貼付物を貼付しない際にも、静電吸着ボードをインテリアとして利用することができる。
【考案の効果】
【００１０】  以上詳しく説明したように、この考案の静電吸着ボードによれば、表面シートに半透明な材料を用いることで、電気回路のパターンが表面シートを通して見えるため、電気回路を格子状または縞状とすることで、電気回路のパターンを基準線として利用し、貼付物を体裁よく配列することができる。
また、電気回路のパターンに文字、イラスト、模様や図形を用いることで、電気回路を基準線としてではなく、デザインとして利用し、静電吸着ボードにインテリアとしての機能を持たせることができる。
さらに、従来の掲示板や静電吸着ボードと比較して、別途目印やイラストを印刷する工程が省かれるため、生産コストを下げることが可能となる。
【図面の簡単な説明】
【００１１】
【図１】格子状の電気回路を備えた静電吸着ボードを示す正面図である
【図２】縞状の電気回路を備えた静電吸着ボードを示す正面図である
【図３】静電吸着ボードの断面図である
【考案を実施するための形態】
【００１２】  以下、この考案の最良の形態について図面を参照して説明する。
【実施例】
【００１３】  図１および図２は、この考案の実施例に係る電気回路を備えた静電吸着ボードを示す正面図であり、図３は、静電吸着ボードの断面図である。【００１４】  図１および図２に示すように、この実施例の静電吸着ボードは、基板１と吸着部としての表面シート２と電源３と静電吸着ボードを固定するための固定部品５とを備えている。【００１５】  電気回路４は、図１および図２に示すように、それぞれ格子状、縞状に配置されている。電気回路４のパターンは、格子状、縞状のほかに、文字、イラスト、模様や図形など、要望により適宜設計することができる。【００１６】  図１に示すように、電源３は、電気回路４に所定の電圧を印加するための部分である。かかる構成により、電源３をオンにすることで、図示しない貼付物と電気回路との間に静電気が発生し、貼付物がこの静電気力によって表面シート２に吸着されることとなる。【００１７】  固定部品５は、静電吸着ボードを壁や柱などの平面状の場所に固定させるためのものである。図１および図２では基板１の四隅に設置しているが、壁や柱に固定することが出来ればよいため、所望の箇所に適宜設置することができる。【００１８】  このように、この実施例の静電吸着ボードによれば、表面シートに半透明の素材を用いたことにより、格子状または縞状に形成された電気回路が透けて見え、貼付物の位置合わせが容易にでき、貼付物を体裁よく貼り付けることができる。また、電気回路に文字、イラスト、模様や図形を用いた場合には、静電吸着ボードにインテリアとしての機能を付加することができる。【００１９】  なお、この考案は、上記実施例に限定されるものではなく、考案の要旨の範囲内において種々の変形や変更が可能である。
例えば、上記実施例では、基板を長方形としているが、円形、三角形、正方形、四角形以上の多角形、星形、ハート形など、所望の形状で形成することができる。
【符号の説明】
【００２０】  １…基板、２…表面シート、３…電源、４…電気回路、５…固定部品
【図１】
0003207975.tif 000003
【図２】
0003207975.tif 000004
【図３】
0003207975.tif 000005